(57)【要約】【課題】  ドット再現性を安定させることができるデジタルハーフトーンスクリーニング方法を提供する。【解決手段】  多値ドットを使用するデジタルハーフトーンスクリーニング方法において、各レベルのドット再現性の違いによりハーフトーンパターンを調整する。【選択図】        図４
2005323101.tif 000002
【特許請求の範囲】
【請求項１】
多値ドットを使用するデジタルハーフトーンスクリーニング方法において、各レベルのドット再現性の違いによりハーフトーンパターンを調整することを特徴とするデジタルハーフトーンスクリーニング方法。
【請求項２】
請求項１のデジタルハーフトーンスクリーニング方法において、各レベルのドット再現特性の確認を、出力したドット再現特性確認用パターンに基づいて実施することを特徴とするデジタルハーフトーンスクリーニング方法。
【請求項３】
請求項２のデジタルハーフトーンスクリーニング方法において、前記ドット再現特性確認用パターンは、単一のセルのみを使用し、１つのパッチには同一レベルのドットパターンのみが印字されることを特徴とするデジタルハーフトーンスクリーニング方法。
【請求項４】
請求項２のデジタルハーフトーンスクリーニング方法において、前記ドット再現特性確認用パターンは、連続する階調のパッチ同士を隣接するように配置することを特徴とするデジタルハーフトーンスクリーニング方法。
【請求項５】
請求項１のデジタルハーフトーンスクリーニング方法において、各レベルドットの濃度差からドット配置を決定することを特徴とするデジタルハーフトーンスクリーニング方法。
【請求項６】
請求項１乃至５の何れか一項に記載のデジタルハーフトーンスクリーニング方法をコンピュータが制御可能にプログラミングしたことを特徴とするデジタルハーフトーンスクリーニングプログラム。
【請求項７】
請求項６に記載のデジタルハーフトーンスクリーニングプログラムをコンピュータが読み取り可能な形式で記録したことを特徴とする記録媒体。
【発明の詳細な説明】
【技術分野】
【０００１】
本発明は、多値ドットを使用するデジタルハーフトーンスクリーニング方法に関するものである。
【背景技術】
【０００２】
各ドットが多階調の階調再現が可能である多値ドットによるデジタルハーフトーンスクリーニング方法では、従来、ドット自身に階調性を持たせるためにサイズや濃度を変化させるので、ドットの再現性が不安定になりやすいといった課題がある。
【発明の開示】
【発明が解決しようとする課題】
【０００３】
上述したように、従来、ドット自身に階調性を持たせるためにサイズや濃度を変化させるので、ドットの再現性が不安定になりやすく、階調再現性を悪化させる原因となっていた。
本発明は、かかる課題に鑑み、各レベルのドット再現性の違いによりハーフトーンパターンを調整することにより、ドット再現性を安定させることができるデジタルハーフトーンスクリーニング方法を提供することを目的とする。
【課題を解決するための手段】
【０００４】
上記目的を達成するために、請求項１記載の発明は、多値ドットを使用するデジタルハーフトーンスクリーニング方法において、各レベルのドット再現性の違いによりハーフトーンパターンを調整するデジタルハーフトーンスクリーニング方法を最も主要な特徴とする。
請求項２記載の発明は、請求項１のデジタルハーフトーンスクリーニング方法において、各レベルのドット再現特性の確認を、出力したドット再現特性確認用パターンに基づいて実施するデジタルハーフトーンスクリーニング方法を主要な特徴とする。
請求項３記載の発明は、請求項２のデジタルハーフトーンスクリーニング方法において、ドット再現特性確認用パターンは、単一のセルのみを使用し、１つのパッチには同一レベルのドットパターンのみが印字されるデジタルハーフトーンスクリーニング方法を主要な特徴とする。
請求項４記載の発明は、請求項２のデジタルハーフトーンスクリーニング方法において、ドット再現特性確認用パターンは、連続する階調のパッチ同士を隣接するように配置するデジタルハーフトーンスクリーニング方法を主要な特徴とする。
請求項５記載の発明は、請求項１のデジタルハーフトーンスクリーニング方法において、各レベルドットの濃度差からドット配置を決定するデジタルハーフトーンスクリーニング方法を主要な特徴とする。
請求項６記載の発明は、請求項１乃至５の何れか一項に記載のデジタルハーフトーンスクリーニング方法をコンピュータが制御可能にプログラミングしたことを特徴とする。
請求項７記載の発明は、請求項６に記載のデジタルハーフトーンスクリーニングプログラムをコンピュータが読み取り可能な形式で記録したことを特徴とする。
【発明の効果】
【０００５】
本発明によれば、各レベルのドット再現性の違いによりハーフトーンパターンを調整することで、多値ドットを使用するデジタルハーフトーンスクリーニングにおける階調飛びを低減することができる。
また、各レベルのドット再現特性の確認を、出力したドット再現特性確認用パターンに基づいて実施する（スキャナで読み込む、あるいは目視する）ことで正確な確認が可能となる。
また、ドット再現特性確認用パターンは、単一のセルのみを使用し、１つのパッチには同一レベルのドットパターンのみを印字することで、異なるレベルのドット特性の差を確認することができる。
また、ドット再現特性確認用パターンは、連続する階調のパッチ同士を隣接するように配置することで、異なるレベルドット間の階調差を容易に確認することができる。
また、各レベルドットの濃度差から、ドット配置を決定することで、多値デジタルハーフスクリーンでの階調飛びを効果的に低減することができる。
【発明を実施するための最良の形態】
【０００６】
本発明は、ドット再現性を確認し、その状況によってパターン配置を調整して階調性を修正する方法を提案するものである。
まず、各レベルのドット再現性をチェックする方法について説明する。階調飛びの大きな原因として、各レベルドット間のサイズや濃度の違いが大きい場合が挙げられる。
図１は３段階のドットレベルが表現できる多値ハーフトーンを示す図である。図１に示すように、最高レベルドット１のサイズが他の２つ１ａ、１ｂと比較して大きい場合、最高レベルドット１を描画する際の濃度変化が大きく、階調飛びが発生してしまう。
これを確認するための出力として、各レベルの１ドットの再現特性と、異なるレベルのドット描画時の階調変化が判るように、複数でなく単一のセル２のみを使用したハーフトーンパターン（図２参照）を使用する。即ち、図２において、濃度２ａのパターンが矢印の順序で濃度が２ｂ、２ｃと濃くなり、さらにそれらの組み合わせパターン２ｃ＋２ａ、２ｃ＋２ｂ、２ｃ＋２ｃを使用する。
【０００７】
図３は本発明のドット再現特性確認用パターンを示す図である。ドット再現特性確認用パターン３は、連続する階調のパッチ４が隣接するように配置することで、各レベルドットの孤立１ドットの再現特性と、異なるレベルのドットが描画される時の階調飛びの有無をチェックすることができる。この確認は、スキャナで濃度を読み込んで詳細に行うこともできる。また、連続して配置したパッチ４により濃度変化が判り易いので、目視で実施することも可能である。
上記のように各レベルのドット再現性を確認し、ドットサイズの違いによる階調飛びが発見された場合は、ドットの配置や塗る順序を工夫して、できるだけ階調飛びが起こらないようにする。
図４は本発明のデジタルハーフトーンスクリーニングの説明図である。例えば、中レベルのドットと高レベルのドットで差が大きかった場合、（１）に示すように、中レベルドットａの直後に高レベルドットｂを描画すると階調が飛んでしまうので、（２）に示すように、まずは低レベルドットｃを追加してから高レベルドットｂを描画するなどといった変更を実施することで階調飛びを低減することができる。
【図面の簡単な説明】
【０００８】
【図１】３段階のドットレベルが表現できる多値ハーフトーンを示す図。
【図２】単一のセルのみを使用したハーフトーンパターンを示す図。
【図３】本発明のドット再現特性確認用パターンを示す図。
【図４】本発明のデジタルハーフトーンスクリーニングの説明図。
【符号の説明】
【０００９】
３  ドット再現特性確認用パターン
４  階調のパッチ
【図１】
2005323101.tif 000003
【図２】
2005323101.tif 000004
【図３】
2005323101.tif 000005
【図４】
2005323101.tif 000006